(57)【特許請求の範囲】
【請求項１】
対物レンズを保持する保持部および軸孔の形成される円筒状の軸受部を備えるレンズホルダと、前記レンズホルダに形成される軸孔に挿通される摺動軸と、前記摺動軸の軸線方向の一端部が装着される基底部材と、前記レンズホルダに設けられレンズホルダを前記摺動軸の軸線方向および軸線まわりに駆動するコイルと、前記コイルに電力を供給するフレキシブルプリント基板とを有する光ピックアップの対物レンズ駆動装置において、
前記フレキシブルプリント基板を固定する固定部材が、レンズホルダに関して前記基底部材と反対側に設けられ、
前記固定部材には、前記レンズホルダが前記摺動軸の軸線方向他端部側に変位するとき、前記軸受部を挿入することのできる貫通孔が形成されることを特徴とする対物レンズ駆動装置。
【請求項２】
対物レンズを保持する保持部および軸孔の形成される円筒状の軸受部を備えるレンズホルダと、前記レンズホルダに形成される軸孔に挿通される摺動軸と、前記摺動軸の軸線方向の一端部が装着される基底部材と、前記レンズホルダに設けられレンズホルダを前記摺動軸の軸線方向および軸線まわりに駆動するコイルと、前記コイルに電力を供給するフレキシブルプリント基板とを有する光ピックアップの対物レンズ駆動装置において、
前記フレキシブルプリント基板を固定する固定部材が、レンズホルダに関して前記基底部材と反対側に設けられ、
前記基底部材には、前記レンズホルダが前記摺動軸の軸線方向一端部側に変位するとき、前記軸受部を挿入することのできる凹部が形成されることを特徴とする対物レンズ駆動装置。
【請求項３】
対物レンズを保持する保持部および軸孔の形成される円筒状の軸受部を備えるレンズホルダと、前記レンズホルダに形成される軸孔に挿通される摺動軸と、前記摺動軸の軸線方向の一端部が装着される基底部材と、前記レンズホルダに設けられレンズホルダを前記摺動軸の軸線方向および軸線まわりに駆動するコイルと、前記コイルに電力を供給するフレキシブルプリント基板とを有する光ピックアップの対物レンズ駆動装置において、
前記フレキシブルプリント基板を固定する固定部材が、レンズホルダに関して前記基底部材と反対側に設けられ、
前記フレキシブルプリント基板の一端部および他端部は、前記フレキシブルプリント基板の一端部付近および他端部付近が前記摺動軸の軸線に直交する方向に延在するように、前記レンズホルダおよび前記固定部材にそれぞれ固着されることを特徴とする対物レンズ駆動装置。
【請求項４】
前記固定部材は、
前記摺動軸の軸線方向他端部側への前記レンズホルダの変位を規制する抑止部材であることを特徴とする請求項１〜３のいずれかに記載の対物レンズ駆動装置。
【請求項５】
対物レンズを保持する保持部および軸孔の形成される円筒状の軸受部を備えるレンズホルダと、前記レンズホルダに形成される軸孔に挿通される摺動軸と、前記摺動軸の軸線方向の一端部が装着される基底部材と、前記レンズホルダに設けられレンズホルダを前記摺動軸の軸線方向および軸線まわりに駆動するコイルと、前記コイルに電力を供給するフレキシブルプリント基板とを有する光ピックアップの対物レンズ駆動装置において、
前記フレキシブルプリント基板を固定する固定部材には、前記レンズホルダが前記摺動軸の軸線方向他端部側に変位するとき、前記軸受部を挿入することのできる貫通孔が形成されることを特徴とする対物レンズ駆動装置。
【請求項６】
対物レンズを保持する保持部および軸孔の形成される円筒状の軸受部を備えるレンズホルダと、前記レンズホルダに形成される軸孔に挿通される摺動軸と、前記摺動軸の軸線方向の一端部が装着される基底部材と、前記レンズホルダに設けられレンズホルダを前記摺動軸の軸線方向および軸線まわりに駆動するコイルと、前記コイルに電力を供給するフレキシブルプリント基板とを有する光ピックアップの対物レンズ駆動装置において、
前記基底部材には、前記レンズホルダが前記摺動軸の軸線方向一端部側に変位するとき、前記軸受部を挿入することのできる凹部が形成されることを特徴とする対物レンズ駆動装置。
【請求項７】
光記録媒体に情報を記録または光記録媒体から情報を再生する光ピックアップ装置であって、
前記請求項１〜６のいずれかに記載の対物レンズ駆動装置と、
光を放射する光源と、
光源から放射される光を光記録媒体の記録面に集光する集光手段と、
光記録媒体から反射される反射光を検出する光検出手段とを含むことを特徴とする光ピックアップ装置。
【発明の詳細な説明】
【０００１】
【発明の属する技術分野】
本発明は、ＣＤ（コンパクトディスク）およびＤＶＤ（デジタルバーサタイルディスク／デジタルビデオディスク）などの光記録媒体に対して、光学的に情報の記録、再生または書換え等を行う光ピックアップに用いられる対物レンズ駆動装置に関する。
【０００２】
【従来の技術】
ＣＤおよびＤＶＤなどの光記録媒体に対して、光学的に情報の記録、再生または書換え等を行う光ピックアップには、光を放射する光源と、光源からの光を光記録媒体の記録面上に集光するための光学系が備えられる。光学系に含まれるレンズの１つに対物レンズがあり、光ピックアップでは、対物レンズを駆動させることによって、光学系で集光される光スポットを、記録面上に焦点を合わせ（フォーカシング）、また、情報を記録または再生するべきトラックに正確にトレース（トラッキング）させる。このフォーカシングおよびトラッキングのために対物レンズを駆動させる装置が対物レンズ駆動装置である。
【０００３】
従来の対物レンズ駆動装置は、たとえば特開平１１−３２８６９８公報に開示されている。図５は従来の対物レンズ駆動装置１の構成を簡略化して示す平面図であり、図６は図５の切断面線ＶＩ−ＶＩから見た断面図である。
【０００４】
従来の対物レンズ駆動装置１は、対物レンズ２を保持するとともに軸孔３の形成されるレンズホルダ４と、レンズホルダ４の軸孔３に挿通されてレンズホルダ４を支持する摺動軸５と、レンズホルダ４を摺動軸５の軸線６方向に変位させて対物レンズ２のフォーカス制御を行うフォーカスコイル７を含むフォーカス磁気回路８と、レンズホルダ４を摺動軸５の軸線６まわりに回転させて対物レンズ２のトラッキング制御を行うトラッキングコイル９を含むトラッキング磁気回路１０とを含む、いわゆる軸摺動型と呼ばれるものである。
【０００５】
摺動軸５は、ホルダ支持部材１１の底面１２に対して垂直に立上がるように装着され、レンズホルダ４の軸受部１３に形成される前記軸孔３に挿通されてレンズホルダ４を支持する。また対物レンズ駆動装置１は、フォーカスコイル７およびトラッキングコイル９に電力を供給するフレキシブルプリント基板１４を有する。フレキシブルプリント基板１４は、その一端部がレンズホルダ４に固着され、その他端部がホルダ支持部材１１の底面縁部から垂直に立ち上がる壁部１５に固着される。このようにして対物レンズ駆動装置１に設けられるフレキシブルプリント基板１４は、レンズホルダ４とホルダ支持部材１１との間において略Ｕ字状に弾性変形されている状態にある。
【０００６】
またレンズホルダ４に関してホルダ支持部材１１の底面１２の反対側には、保護カバー１６が設けられ、保護カバー１６が、レンズホルダ４の摺動軸軸線６方向の変位を規制する抑止部材として機能するように構成される。
【０００７】
【発明が解決しようとする課題】
前述した先行技術には、以下のような問題がある。フレキシブルプリント基板１４が、略Ｕ字状に弾性変形している状態で設けられるので、フレキシブルプリント基板１４の弾発力が、レンズホルダ４を摺動軸５の軸線６に対して垂直な方向に変位させるように作用する。このことによって、レンズホルダ４の軸受部１３と摺動軸５との摩擦抵抗が発生する。フレキシブルプリント基板１４の弾発力が大きいとき、レンズホルダ４の軸受部１３と摺動軸５との摩擦力が大きくなるので、一次共振周波数が高くなりレンズホルダ４の駆動感度の低下を来すとともに、レンズホルダ４を駆動するための電力消費量が増大するという問題がある。このような問題は、フレキシブルプリント基板１４を長くすることによってその弾発力が低減されるので、回避することができるけれども、長いフレキシブルプリント基板１４を収容するために装置寸法が大きくなるという問題が生じる。
【０００８】
また近年情報を光学的に記録または再生する装置における記憶容量の増大にともなって、対物レンズ２の光軸に対する傾斜（チルト）量の許容値が小さくなりつつある。レンズホルダ４に保持される対物レンズ２の光軸に対するチルト量は、レンズホルダ４の軸受部１３の長さを長くすることによって低減される。
【０００９】
前記先行技術の対物レンズ駆動装置１では、レンズホルダ４の前記保護カバー１６を臨む側には、第１の突起部１７が形成され、レンズホルダ４が保護カバー１６に近接する方向に駆動されるとき、この第１の突起部１７が保護カバー１６に当接することによって、レンズホルダ４の変位が規制される。一方、レンズホルダ４のホルダ支持部材１１の底面１２を臨む側には第２の突起部１８が形成され、レンズホルダ４が前記底面１２に近接する方向に駆動されるとき、この第２の突起部１８が前記底面１２に当接することによって、レンズホルダ４の変位が規制される。
【００１０】
このように従来の対物レンズ駆動装置１では、レンズホルダ４に形成される第１および第２突起部１７，１８が保護カバー１６およびホルダ支持部材１１の底面１２にそれぞれ当接することによって、レンズホルダ４の変位を規制するので、レンズホルダ４の軸受部１３は第１および第２突起部１７，１８の形成される長さ分だけ短くならざるを得ず対物レンズ２のチルト量を低減できないという問題があり、チルト量を低減するべくあえて軸受部１３の長さを長くしかつ突起部も形成すれば装置の大型化を招くという問題がある。
【００１１】
レンズホルダの摺動軸軸線方向の変位を規制するもう１つの先行技術である従来の対物レンズ駆動装置が、特開平１０−３６７６公報に開示されている。図７は、もう１つの従来の対物レンズ駆動装置２０の構成を簡略化して示す断面図である。もう１つの従来の対物レンズ駆動装置２０には、レンズホルダ４の変位を規制するためにねじ部材２１が別途設けられる。このようレンズホルダ４の変位をねじ部材２１によって規制する方法では、レンズホルダ４の軸受部１３の長さを長くして対物レンズ２のチルト量が小さくなるように抑制することができるけれども、レンズホルダ４に当接するねじ部材２１の先端形状の差異および締め具合によって、変位規制位置にばらつきが生じて正確な変位量の規制を行うことができないという問題がある。
【００１２】
また前述したような先行技術では、レンズホルダ４の変位を規制する部材として保護カバー１６およびねじ部材２１などを用いるので、部品点数が増大し、装置組立ての作業時間が増大して生産効率を悪化させ、製造コストの増大を招くという問題もある。
【００１３】
本発明の目的は、簡易な構成で対物レンズを安定して駆動することを可能にし、また対物レンズのチルト量を小さく抑制することのできる対物レンズ駆動装置を提供することである。
【００１４】
【課題を解決するための手段】
本発明は、対物レンズを保持する保持部および軸孔の形成される円筒状の軸受部を備えるレンズホルダと、前記レンズホルダに形成される軸孔に挿通される摺動軸と、前記摺動軸の軸線方向の一端部が装着される基底部材と、前記レンズホルダに設けられレンズホルダを前記摺動軸の軸線方向および軸線まわりに駆動するコイルと、前記コイルに電力を供給するフレキシブルプリント基板とを有する光ピックアップの対物レンズ駆動装置において、
前記フレキシブルプリント基板を固定する固定部材が、レンズホルダに関して前記基底部材と反対側に設けられ、
前記固定部材には、前記レンズホルダが前記摺動軸の軸線方向他端部側に変位するとき、前記軸受部を挿入することのできる貫通孔が形成されることを特徴とする対物レンズ駆動装置である。
【００１５】
本発明に従えば、フレキシブルプリント基板を固定する固定部材が、レンズホルダに関して前記基底部材と反対側に設けられる。このことによって、対物レンズ駆動装置を１仮想平面上に投影した投影面積内において、固定部材とレンズホルダとに固着されるフレキシブルプリント基板の長さを長くすることができる。フレキシブルプリント基板の長さを長くすることによって、フレキシブルプリント基板の弾発力が低減され摺動軸とレンズホルダの軸受部との摩擦力が軽減されるので、レンズホルダを摺動軸の軸線方向に安定して駆動させることができる。また前記摩擦力の軽減によって、一次共振周波数が低下し、レンズホルダの駆動感度が向上するとともにレンズホルダを駆動させる電力消費量が低減される。
また固定部材には、レンズホルダが摺動軸の軸線方向他端部側に変位するとき、軸受部を挿入することのできる貫通孔が形成される。このことによって、軸受部の長さを長くして摺動軸の軸線方向他端部側に延在させることができるので、装置を大型化することなくレンズホルダに保持される対物レンズのチルト量を小さく抑制することができる。
また本発明は、対物レンズを保持する保持部および軸孔の形成される円筒状の軸受部を備えるレンズホルダと、前記レンズホルダに形成される軸孔に挿通される摺動軸と、前記摺動軸の軸線方向の一端部が装着される基底部材と、前記レンズホルダに設けられレンズホルダを前記摺動軸の軸線方向および軸線まわりに駆動するコイルと、前記コイルに電力を供給するフレキシブルプリント基板とを有する光ピックアップの対物レンズ駆動装置において、
前記フレキシブルプリント基板を固定する固定部材が、レンズホルダに関して前記基底部材と反対側に設けられ、
前記基底部材には、前記レンズホルダが前記摺動軸の軸線方向一端部側に変位するとき、前記軸受部を挿入することのできる凹部が形成されることを特徴とする対物レンズ駆動装置である。
本発明に従えば、フレキシブルプリント基板を固定する固定部材が、レンズホルダに関して前記基底部材と反対側に設けられる。このことによって、対物レンズ駆動装置を１仮想平面上に投影した投影面積内において、固定部材とレンズホルダとに固着されるフレキシブルプリント基板の長さを長くすることができる。フレキシブルプリント基板の長さを長くすることによって、フレキシブルプリント基板の弾発力が低減され摺動軸とレンズホルダの軸受部との摩擦力が軽減されるので、レンズホルダを摺動軸の軸線方向に安定して駆動させることができる。また前記摩擦力の軽減によって、一次共振周波数が低下し、レンズホルダの駆動感度が向上するとともにレンズホルダを駆動させる電力消費量が低減される。
また基底部材には、レンズホルダが摺動軸の軸線方向一端部側に変位するとき、軸受部を挿入することのできる凹部が形成される。このことによって、軸受部の長さを長くして摺動軸の軸線方向一端部側に延在させることができるので、装置を大型化することなくレンズホルダに保持される対物レンズのチルト量を小さく抑制することができる。
また本発明は、対物レンズを保持する保持部および軸孔の形成される円筒状の軸受部を備えるレンズホルダと、前記レンズホルダに形成される軸孔に挿通される摺動軸と、前記摺動軸の軸線方向の一端部が装着される基底部材と、前記レンズホルダに設けられレンズホルダを前記摺動軸の軸線方向および軸線まわりに駆動するコイルと、前記コイルに電力を供給するフレキシブルプリント基板とを有する光ピックアップの対物レンズ駆動装置において、
前記フレキシブルプリント基板を固定する固定部材が、レンズホルダに関して前記基底部材と反対側に設けられ、
前記フレキシブルプリント基板の一端部および他端部は、前記フレキシブルプリント基板の一端部付近および他端部付近が前記摺動軸の軸線に直交する方向に延在するように、前記レンズホルダおよび前記固定部材にそれぞれ固着されることを特徴とする対物レンズ駆動装置である。
本発明に従えば、フレキシブルプリント基板を固定する固定部材が、レンズホルダに関して前記基底部材と反対側に設けられる。このことによって、対物レンズ駆動装置を１仮想平面上に投影した投影面積内において、固定部材とレンズホルダとに固着されるフレキシブルプリント基板の長さを長くすることができる。フレキシブルプリント基板の長さを長くすることによって、フレキシブルプリント基板の弾発力が低減され摺動軸とレンズホルダの軸受部との摩擦力が軽減されるので、レンズホルダを摺動軸の軸線方向に安定して駆動させることができる。また前記摩擦力の軽減によって、一次共振周波数が低下し、レンズホルダの駆動感度が向上するとともにレンズホルダを駆動させる電力消費量が低減される。
またフレキシブルプリント基板の一端部付近および他端部付近が、摺動軸の軸線に直交する方向に延在するようにレンズホルダおよび固定部材にそれぞれ固着されるので、対物レンズ駆動装置の前記投影面積内においてフレキシブルプリント基板の長さを長くしてその弾発力を軽減するとともに、フレキシブルプリント基板の摺動軸軸線方向への伸長が防止され装置の大型化を抑制することができる。
【００１６】
また本発明は、前記固定部材は、前記摺動軸の軸線方向他端部側への前記レンズホルダの変位を規制する抑止部材であることを特徴とする。
【００１７】
本発明に従えば、固定部材は、レンズホルダの変位を規制する抑止部材を兼ねるので、装置の部品点数を削減し、装置組立ての作業時間を低減して生産効率を向上することができる。
【００１８】
また本発明は、対物レンズを保持する保持部および軸孔の形成される円筒状の軸受部を備えるレンズホルダと、前記レンズホルダに形成される軸孔に挿通される摺動軸と、前記摺動軸の軸線方向の一端部が装着される基底部材と、前記レンズホルダに設けられレンズホルダを前記摺動軸の軸線方向および軸線まわりに駆動するコイルと、前記コイルに電力を供給するフレキシブルプリント基板とを有する光ピックアップの対物レンズ駆動装置において、
前記フレキシブルプリント基板を固定する固定部材には、前記レンズホルダが前記摺動軸の軸線方向他端部側に変位するとき、前記軸受部を挿入することのできる貫通孔が形成されることを特徴とする対物レンズ駆動装置である。
【００１９】
本発明に従えば、固定部材には、レンズホルダが摺動軸の軸線方向他端部側に変位するとき、軸受部を挿入することのできる貫通孔が形成される。このことによって、軸受部の長さを長くして摺動軸の軸線方向他端部側に延在させることができるので、装置を大型化することなくレンズホルダに保持される対物レンズのチルト量を小さく抑制することができる。
【００２０】
また本発明は、対物レンズを保持する保持部および軸孔の形成される円筒状の軸受部を備えるレンズホルダと、前記レンズホルダに形成される軸孔に挿通される摺動軸と、前記摺動軸の軸線方向の一端部が装着される基底部材と、前記レンズホルダに設けられレンズホルダを前記摺動軸の軸線方向および軸線まわりに駆動するコイルと、前記コイルに電力を供給するフレキシブルプリント基板とを有する光ピックアップの対物レンズ駆動装置において、
前記基底部材には、前記レンズホルダが前記摺動軸の軸線方向一端部側に変位するとき、前記軸受部を挿入することのできる凹部が形成されることを特徴とする対物レンズ駆動装置である。
【００２１】
本発明に従えば、基底部材には、レンズホルダが摺動軸の軸線方向一端部側に変位するとき、軸受部を挿入することのできる凹部が形成される。このことによって、軸受部の長さを長くして摺動軸の軸線方向一端部側に延在させることができるので、装置を大型化することなくレンズホルダに保持される対物レンズのチルト量を小さく抑制することができる。
【００２４】
また本発明は、光記録媒体に情報を記録または光記録媒体から情報を再生する光ピックアップ装置であって、
前記いずれか１つの対物レンズ駆動装置と、
光を放射する光源と、
光源から放射される光を光記録媒体の記録面に集光する集光手段と、
光記録媒体から反射される反射光を検出する光検出手段とを含むことを特徴とする光ピックアップ装置である。
【００２５】
本発明に従えば、情報記憶容量の大きな光学的記録または再生装置に対して好適な光ピックアップ装置の提供を実現することができる。
【００２６】
【発明の実施の形態】
図１は本発明の実施の一形態である対物レンズ駆動装置３０の構成を簡略化して示す平面図であり、図２は図１の切断面線ＩＩ−ＩＩから見た断面図である。対物レンズ駆動装置３０は、対物レンズ３１を保持する保持部３２および軸孔３３の形成される円筒状の軸受部３４を備えるレンズホルダ３５と、レンズホルダ３５に形成される軸孔３３に挿通される摺動軸３６と、前記摺動軸３６の軸線３７方向の一端部３８が装着される基底部材３９と、レンズホルダ３５に設けられレンズホルダ３５を摺動軸３６の軸線方向および軸線まわりに駆動するコイル４０と、コイル４０に電力を供給するフレキシブルプリント基板４１とを備え、フレキシブルプリント基板４１を固定する固定部材４２が、レンズホルダ３５に関して基底部材３９と反対側に設けられる。
【００２７】
基底部材３９は、金属製の平板状部材である。基底部材３９には、摺動軸３６を装着するための厚み方向に貫通する装着孔４３が形成され、また一方の表面側に装着孔４３と同心円状に前記軸受部３４の外径ｄ１よりも大きな内径ｄ２（ｄ２＞ｄ１）を有する凹部４４が形成される。摺動軸３６は、金属製の円柱棒状の部材であり、その軸線３７方向の一端部３８において、基底部材３９に形成される装着孔４３に基底部材３９の前記凹部４４の形成される表面から垂直に立上がるように固着される。
【００２８】
レンズホルダ３５は、硬質樹脂製であり、前記保持部３２および軸受部３４とともに基部４５を備える。軸受部３４は、略直方体状の基部４５の対向する２つの表面４６，４７（図２の紙面では上下方向に対向する２つの表面であり、以後便宜上上面４６，下面４７と呼ぶ）から、円筒状に突出して形成され、この軸受部３４に摺動軸３６を挿通させる軸孔３３が形成される。保持部３２は略円筒状の形状を有し、その円筒の軸線が摺動軸３６の軸線３７と同一平面内においてほぼ平行になるように、基部４５の１側面４８に連なって形成される。保持部３２には、後述する光ピックアップ装置６０の集光手段６３の一部を構成する前記対物レンズ３１が、円筒の一方を封止するように装着される。なおこのとき対物レンズ３１は、その光軸と摺動軸３６の軸線３７とが同一平面内において平行になるように保持される。
【００２９】
レンズホルダ３５に形成される軸孔３３には摺動軸３６が挿通されるので、レンズホルダ３５は、摺動軸３６によって、摺動軸の軸線方向に摺動可能に支持され、また軸線まわりに回転可能に支持される。
【００３０】
レンズホルダ３５の基部４５の側面には、レンズホルダ３５を摺動軸３６の軸線方向に駆動させる一対のフォーカシングコイル４９ａ，４９ｂが、摺動軸３６に関して点対称の位置に配置して設けられる。フォーカシングコイル４９ａ，４９ｂは、対物レンズ３１によって集光される光スポットの焦点を合わせるようにレンズホルダ３５を摺動軸３６の軸線方向に駆動させる。また摺動軸３６の軸線３７の方向をフォーカシング方向と呼ぶことがある。
【００３１】
ここで、フォーカシングコイル４９ａ，４９ｂのように、摺動軸３６に関して点対称に設けられる部材については、一方の側についてのみ説明する。フォーカシングコイル４９ａを介して内方と外方とには、磁気回路を構成する一対のヨーク５０ａ，５１ａが設けられ、フォーカシングコイル４９ａとヨーク５１ａとの間には、ヨーク５１ａに接して永久磁石片５２ａが設けられる。また永久磁石片５２ａとフォーカシングコイル４９ａとの間には、レンズホルダ３５を摺動軸３６の軸線まわりに回転駆動させるトラッキングコイル５３ａが設けられる。トラッキングコイル５３ａは、対物レンズ３１によって集光される光スポットが光記録媒体表面に形成されるトラックをトレースするようにレンズホルダ３５を摺動軸３６の軸線まわりに駆動させる。また摺動軸３６の軸線まわりに周回する方向をトラッキング方向と呼ぶことがある。フォーカシングコイル４９ａ，４９ｂおよびトラッキングコイル５３ａ，５３ｂが、前述したコイル４０を構成する。
【００３２】
摺動軸３６に関して点対称に設けられるヨーク５０ｂ，５１ｂ、永久磁石片５２ｂおよびトラッキングコイル５３ｂについては、前述した一方側と同一の参照符号に添字ｂを付して説明を省略する。なお摺動軸３６に関して点対称に設けられる各部材を総称する場合には、添字を省いて参照符のみにて示すことがある。
【００３３】
固定部材４２は、硬質樹脂製の平板状部材であり、レンズホルダ３５に関して基底部材３９と反対側すなわち摺動軸３６の他端部５４付近に配置され、ヨーク５０ａ，５０ｂに対して固着される。このように、固定部材４２がヨーク５０ａ，５０ｂに固着されることによって、固定部材４２の装着位置の精度が向上するので、レンズホルダ３５の摺動軸３６軸線方向すなわちフォーカシング方向の可動量を正確に規制することが可能になる。また固定部材４２には、摺動軸３６の軸心と同心円状になるように貫通孔５５が形成される。この貫通孔５５の内径ｄ３は、レンズホルダ３５の軸受部３４の外径ｄ１よりも大きくなるように（ｄ３＞ｄ１）形成され、レンズホルダ３５が摺動軸３６の軸線方向他端部５４側に変位するとき、軸受部３４を内挿することができる。
【００３４】
フレキシブルプリント基板４１は、弾性を有する合成樹脂製の細長い薄板であり、その一方または両方の表面に導通回路を構成する銅箔が貼着されている。フレキシブルプリント基板４１の一端部５６は、レンズホルダ３５の下面４７に接して設けられる接続端子５８を介してレンズホルダ３５に固着され、他端部５７は、前記固定部材４２に固着される。このとき、フレキシブルプリント基板４１の一端部５６付近および他端部５７付近は、摺動軸３６の軸線３７に直交する方向に延在するように、レンズホルダ３５および固定部材４２にそれぞれ固着される。したがって、フレキシブルプリント基板４１は、レンズホルダ３５および固定部材４２にそれぞれ固着される端部側と反対側において湾曲して連なり、大略Ｕ字状に弾性変形した状態で対物レンズ駆動装置３０に設けられる。このようにして設けられるフレキシブルプリント基板４１を通じて、図示しない電源からフォーカシングコイル４９およびトラッキングコイル５３に電力が供給される。
【００３５】
前述のように構成される本実施の形態の対物レンズ駆動装置３０について、以下にその動作を説明する。フレキシブルプリント基板４１を通じてフォーカシングコイル４９に供給する電力量を制御することによって、フォーカシングコイル４９への通電によって発生する電磁力の大きさを制御する。この電磁力と、ヨーク５０，５１および永久磁石片５２で構成される磁気回路から発生する力とによって、フォーカシング方向にレンズホルダ３５を駆動させてフォーカシングを行う。またフレキシブルプリント基板４１を通じてトラッキングコイル５３に供給する電力量を制御することによって、トラッキングコイル５３への通電によって発生する電磁力の大きさを制御する。この電磁力と、ヨーク５０，５１および永久磁石片５２で構成される磁気回路から発生する力とによって、トラッキング方向にレンズホルダ３５を駆動させてトラッキングを行う。
【００３６】
フレキシブルプリント基板４１を通じて供給される電力量の制御は、対物レンズ駆動装置３０が、たとえば光ピックアップ装置に設けられるとき、光ピックアップ装置に備わる光検出手段によって検出されるフォーカスエラー信号およびトラッキングエラー信号の出力に応答して行われる。
【００３７】
対物レンズ駆動装置３０では、前述したようにフレキシブルプリント基板４１が装着されるので、たとえば図１に示す平面図が描かれる平面と平行な１仮想平面上にフレキシブルプリント基板４１を投影するとき、フレキシブルプリント基板４１は、前記１仮想平面上に投影される長さの２倍の長さを有するものを用いることができる。
【００３８】
このように収容容積の限られたコンパクトな装置内に、長さの長いフレキシブルプリント基板４１を設けることができるので、装置を大型化することなくその弾発力を低減することができる。このことによって、摺動軸３６とレンズホルダ３５の軸受部３４との摩擦力が軽減されるので、レンズホルダ３５の駆動抵抗が減少しレンズホルダ３５を摺動軸３６の軸線方向に安定して駆動させることが可能になる。また前記摩擦力の軽減によって、一次共振周波数がたとえば従来４０Ｈｚであったものが３０Ｈｚまで低下し、レンズホルダ３５の駆動感度が向上するとともにレンズホルダ３５を駆動させる電力消費量が低減される。
【００３９】
図３は、レンズ駆動装置３０のレンズホルダ３５が固定部材４２に向って移動した状態を示す断面図である。図３を参照してレンズホルダ３５のフォーカシング方向への移動について以下に説明する。レンズホルダ３５が、固定部材４２の設けられる方向へ向って移動するとき、前述したように固定部材４２には貫通孔５５が形成されており、その内径ｄ３は軸受部３４の外径ｄ１よりも大きく、円筒状の軸受部３４は貫通孔５５内に挿入されるので、レンズホルダ３５は、基部４５の上面４６が固定部材４２に当接する位置まで移動することができる。したがって固定部材４２は、レンズホルダ３５の変位を規制する抑止部材としての機能を果たしている。このように、固定部材４２は、軸受部３４と当接してレンズホルダ３５の変位を規制するのではなく、基部４５の上面４６と当接してレンズホルダ３５の変位を規制するので、基部４５の上面４６から突出する長さ分だけ軸受部３４の長さを長くすることができる。
【００４０】
また図を省くけれども、レンズホルダ３５が、基底部材３９の設けられる方向へ向って移動するとき、前述したように基底部材３９には凹部４４が形成されており、その内径ｄ２は軸受部３４の外径ｄ１よりも大きく、円筒状の軸受部３４は凹部４４内に挿入されるので、レンズホルダ３５は、軸受部３４の端部が凹部４４の底面に当接する位置まで、または基部４５の下面４７が基底部材３９に当接する位置まで移動することができる。このことによって、凹部４４に挿入可能な長さ分だけ軸受部３４の長さを長くすることができる。
【００４１】
このようにして、本実施の形態の対物レンズ駆動装置３０では、装置の厚みＨ１を不所望に大きくすることなく、軸受部３４の長さを充分大きく確保することができるので、装置を大型化することなくレンズホルダ３５に保持される対物レンズ３１のチルト量を小さく抑制することができる。したがって、小さな径に集光された光スポットであっても、その光スポットを精度良く所望の位置に移動し焦点を合わせることができるので、高記録密度の光記録または再生装置に対物レンズ駆動装置３０を適用することが可能になる。また固定部材４２がレンズホルダ３５の変位を規制する抑止部材を兼ねるので、装置の部品点数を削減し、装置組立ての作業時間を低減して生産効率を向上することができる。
【００４２】
図４は、本発明の他の実施の形態である光ピックアップ装置６０の構成を簡略化して示す図である。本実施の形態の光ピックアップ装置６０は、前述した対物レンズ駆動装置３０と、光を放射する光源６１と、光源６１から放射される光を光記録媒体６２の記録面に集光する集光手段６３と、光記録媒体６２から反射される反射光を検出する光検出手段６４と、偏光分離手段６５と、回折板７３とを含み、光記録媒体６２に情報を記録または光記録媒体６２から情報を再生する。
【００４３】
光源６１は、情報信号の記録または再生に用いられるレーザ光を放射する半導体レーザ６６と半導体レーザ６６を保持し半導体レーザ６６において発生する熱を放散する機能をも兼ねる保持部材６７とを含む。
【００４４】
偏光分離手段６５は、たとえばビームスプリッタであり、第１および第２部材６８，６９を含み、光源６１と光記録媒体６２との間に配置される。ビームスプリッタ６５は、半導体レーザ６６から放射される光が第１部材６８のみを通過して集光手段６３に向けて出射し、光記録媒体６２からの反射光が第１および第２部材６８，６９を通過して光検出手段６４に達するように構成される。
【００４５】
集光手段６３は、光源から放射される光を略平行にするコリメートレンズ７０と、対物レンズ駆動装置３０に装着される対物レンズ３１とを含み、ビームスプリッタ６５と光記録媒体６２との間に配置される。集光手段６３は、光源６１から放射されビームスプリッタ６５を通過した光を、光記録媒体６２の情報記録面に集光して光スポットを形成する。
【００４６】
光記録媒体６２は、たとえばＣＤ（コンパクトディスク）またはＤＶＤ（デジタルバーサタイルディスク）などの光によって情報信号が記録または再生される媒体である。回折板７３は、光記録媒体６２による反射光を、主として零次回折光、プラス（＋）１次回折光およびマイナス（−）１次回折光に回折する。
【００４７】
光検出手段６４は、たとえばフォトダイオードであり、光記録媒体６２から反射され回折板７３を通過した光を受光し、各回折光を情報の再生信号であるＲＦ信号および前述した光スポットの焦点合わせや位置制御に用いるフォーカスエラー信号、トラッキングエラー信号などとして検出する。光検出手段６４および前記光源６１は、ステム７１上に設けられるとともに、保護部材であるキャップ７２によって覆われる。
【００４８】
光ピックアップ装置６０の光源６１から放射される光が、光記録媒体６２で反射されて光検出手段６４に達するまでの概略について説明する。光源６１から放射される光は、ビームスプリッタ６５の第１部材６８に形成される２つの界面において２回反射した後、第１部材６８から出射し集光手段６３に入射する。集光手段６３に入射する光は、コリメートレンズ７０および対物レンズ３１を通過して光記録媒体６２の情報記録面上に光スポットとして集光される。光記録媒体６２によって反射された光は、再び集光手段６３を通過した後、ビームスプリッタ６５の第１および第２部材６８，６９を通過し、さらに回折板７３を通過し回折されて光検出手段６４に達する。このようにして光ピックアップ装置６０では、光記録媒体６２に情報信号を記録し、または光記録媒体６２から情報信号を再生することができる。
【００４９】
なお光ピックアップ装置６０には、前述のような構成に加えて、たとえば光源６１から光検出手段６４までの光路上に偏光板などを付加することができる。このような構成とすることによって、複数の光源を設けて複数の光記録媒体に対する情報信号の記録または再生に対応することが可能になる。
【００５０】
光記録媒体への情報信号の記録または再生に利用される光は、波長を短くするほど径の小さい光スポットに集光することができるので、波長の短い光を用いることによって光記録媒体の記録密度を高めることができる。しかしながら光スポットの径が小さくなるのにともなって、より高い精度で光スポットの位置制御を行うことが要求される。本実施の形態の光ピックアップ装置６０は、駆動感度が高く駆動位置制御の精度に優れる対物レンズ駆動装置３０を備えるので、波長が短く集光径の小さな光スポットであっても、迅速かつ正確に所望の位置に位置決めを行うことが可能であり、情報記憶容量の大きな光学的記録または再生装置に対して好適に用いられる。
【００５１】
以上に述べたように、本実施の形態では、固定部材４２に形成される貫通孔５５および基底部材３９に形成される凹部４４は、いずれも平面図上で円形状に形成されるけれども、これに限定されることなく、貫通孔および凹部はたとえば多角形状に形成されてもよい。
【００５２】
【発明の効果】
本発明によれば、フレキシブルプリント基板を固定する固定部材が、レンズホルダに関して前記基底部材と反対側に設けられる。このことによって、対物レンズ駆動装置を１仮想平面上に投影した投影面積内において、固定部材とレンズホルダとに固着されるフレキシブルプリント基板の長さを長くすることができる。フレキシブルプリント基板の長さを長くすることによって、フレキシブルプリント基板の弾発力が低減され摺動軸とレンズホルダの軸受部との摩擦力が軽減されるので、レンズホルダを摺動軸の軸線方向に安定して駆動させることができる。また前記摩擦力の軽減によって、一次共振周波数が低下し、レンズホルダの駆動感度が向上するとともにレンズホルダを駆動させる電力消費量が低減される。
また固定部材には、レンズホルダが摺動軸の軸線方向他端部側に変位するとき、軸受部を挿入することのできる貫通孔が形成される。このことによって、軸受部の長さを長くして摺動軸の軸線方向他端部側に延在させることができるので、装置を大型化することなくレンズホルダに保持される対物レンズのチルト量を小さく抑制することができる。
また本発明によれば、フレキシブルプリント基板を固定する固定部材が、レンズホルダに関して前記基底部材と反対側に設けられる。このことによって、対物レンズ駆動装置を１仮想平面上に投影した投影面積内において、固定部材とレンズホルダとに固着されるフレキシブルプリント基板の長さを長くすることができる。フレキシブルプリント基板の長さを長くすることによって、フレキシブルプリント基板の弾発力が低減され摺動軸とレンズホルダの軸受部との摩擦力が軽減されるので、レンズホルダを摺動軸の軸線方向に安定して駆動させることができる。また前記摩擦力の軽減によって、一次共振周波数が低下し、レンズホルダの駆動感度が向上するとともにレンズホルダを駆動させる電力消費量が低減される。
また基底部材には、レンズホルダが摺動軸の軸線方向一端部側に変位するとき、軸受部を挿入することのできる凹部が形成される。このことによって、軸受部の長さを長くして摺動軸の軸線方向一端部側に延在させることができるので、装置を大型化することなくレンズホルダに保持される対物レンズのチルト量を小さく抑制することができる。
また本発明によれば、フレキシブルプリント基板を固定する固定部材が、レンズホルダに関して前記基底部材と反対側に設けられる。このことによって、対物レンズ駆動装置を１仮想平面上に投影した投影面積内において、固定部材とレンズホルダとに固着されるフレキシブルプリント基板の長さを長くすることができる。フレキシブルプリント基板の長さを長くすることによって、フレキシブルプリント基板の弾発力が低減され摺動軸とレンズホルダの軸受部との摩擦力が軽減されるので、レンズホルダを摺動軸の軸線方向に安定して駆動させることができる。また前記摩擦力の軽減によって、一次共振周波数が低下し、レンズホルダの駆動感度が向上するとともにレンズホルダを駆動させる電力消費量が低減される。
またフレキシブルプリント基板の一端部付近および他端部付近が、摺動軸の軸線に直交する方向に延在するようにレンズホルダおよび固定部材にそれぞれ固着されるので、対物レンズ駆動装置の前記投影面積内においてフレキシブルプリント基板の長さを長くしてその弾発力を軽減するとともに、フレキシブルプリント基板の摺動軸軸線方向への伸長が防止され装置の大型化を抑制することができる。
【００５３】
また本発明によれば、固定部材は、レンズホルダの変位を規制する抑止部材を兼ねるので、装置の部品点数を削減し、装置組立ての作業時間を低減して生産効率を向上することができる。
【００５４】
また本発明によれば、固定部材には、レンズホルダが摺動軸の軸線方向他端部側に変位するとき、軸受部を挿入することのできる貫通孔が形成される。このことによって、軸受部の長さを長くして摺動軸の軸線方向他端部側に延在させることができるので、装置を大型化することなくレンズホルダに保持される対物レンズのチルト量を小さく抑制することができる。
【００５５】
また本発明によれば、基底部材には、レンズホルダが摺動軸の軸線方向一端部側に変位するとき、軸受部を挿入することのできる凹部が形成される。このことによって、軸受部の長さを長くして摺動軸の軸線方向一端部側に延在させることができるので、装置を大型化することなくレンズホルダに保持される対物レンズのチルト量を小さく抑制することができる。
【００５７】
また本発明によれば、情報記憶容量の大きな光学的記録または再生装置に対して好適な光ピックアップ装置の提供を実現することができる。
【図面の簡単な説明】
【図１】本発明の実施の一形態である対物レンズ駆動装置３０の構成を簡略化して示す平面図である。
【図２】図２は図１の切断面線ＩＩ−ＩＩから見た断面図である。
【図３】レンズ駆動装置３０のレンズホルダ３５が固定部材４２に向って移動した状態を示す断面図である。
【図４】本発明の他の実施の形態である光ピックアップ装置６０の構成を簡略化して示す図である。
【図５】従来の対物レンズ駆動装置１の構成を簡略化して示す平面図である。
【図６】図５の切断面線ＶＩ−ＶＩから見た断面図である。
【図７】もう１つの従来の対物レンズ駆動装置２０の構成を簡略化して示す断面図である。
【符号の説明】
３０  対物レンズ駆動装置
３１  対物レンズ
３２  保持部
３３  軸孔
３４  軸受部
３５  レンズホルダ
３６  摺動軸
３７  軸線
３９  基底部材
４０  コイル
４２  固定部材
６０  光ピックアップ装置
【図１】
0003814203.tif 000002
【図２】
0003814203.tif 000003
【図３】
0003814203.tif 000004
【図４】
0003814203.tif 000005
【図５】
0003814203.tif 000006
【図６】
0003814203.tif 000007
【図７】
0003814203.tif 000008